(57)【要約】【課題】  利用者にとっての利便性を向上することのできるプリントサービスシステム及びプリントサービス方法を得る。【解決手段】  デジタルカメラ２０により、当該デジタルカメラ２０の機種を示す機種情報を予め記憶しておき、当該機種情報を店頭端末装置５０に無線で送信し、店頭端末装置５０により、デジタルカメラ２０から送信された機種情報を受信し、受信した機種情報に応じて処理内容を切り替える。【選択図】        図１
2005275736.tif 000002
【特許請求の範囲】
【請求項１】
デジタルカメラによる撮影によって得られた画像を店頭端末装置により印刷して写真プリントを作成するプリントサービスシステムであって、
前記デジタルカメラに、当該デジタルカメラの機種を示す機種情報が予め記憶された記憶手段と、前記記憶手段に記憶された前記機種情報を無線で送信する送信手段と、を設け、
前記店頭端末装置に、前記送信手段によって送信された前記機種情報を受信する受信手段と、前記受信手段によって受信した前記機種情報に応じて処理内容を切り替える切替手段と、を設けた
ことを特徴とするプリントサービスシステム。
【請求項２】
前記処理内容を、メニュー画面の表示内容及び写真プリントを作成する際の印刷制御の内容、の少なくとも一方とした
ことを特徴とする請求項１記載のプリントサービスシステム。
【請求項３】
デジタルカメラによる撮影によって得られた画像を店頭端末装置により印刷して写真プリントを作成するプリントサービスシステムにおけるプリントサービス方法であって、
前記デジタルカメラにより、当該デジタルカメラの機種を示す機種情報を予め記憶しておき、当該機種情報を前記店頭端末装置に無線で送信し、
前記店頭端末装置により、前記デジタルカメラから送信された前記機種情報を受信し、受信した前記機種情報に応じて処理内容を切り替える、
ことを特徴とするプリントサービス方法。
【請求項４】
前記処理内容を、メニュー画面の表示内容及び写真プリントを作成する際の印刷制御の内容、の少なくとも一方とした
ことを特徴とする請求項３記載のプリントサービス方法。
【発明の詳細な説明】
【技術分野】
【０００１】
本発明は、プリントサービスシステム及びプリントサービス方法に関し、特に、デジタルカメラによる撮影によって得られた画像を店頭端末装置により印刷して写真プリントを作成するプリントサービスシステム及びプリントサービス方法に関する。
【背景技術】
【０００２】
近年、ＣＣＤ（電荷結合素子）、ＣＭＯＳイメージ・センサ等の撮像素子の高解像度化に伴い、デジタルカメラの需要が急増している。
【０００３】
この種のデジタルカメラでは、撮影を行うとき、撮像素子によりデジタルデータとして得られた画像情報が、当該デジタルカメラに対して着脱可能に構成されたスマート・メディア（SmartMedia(R)）、ＳＤカード、コンパクト・フラッシュ（CompactFlash）、ＡＴＡ（AT Attachment）カード、マイクロドライブ等の記憶メディアに対して記憶されるようになっている。
【０００４】
そして、当該記憶メディアを、本発明の出願人が提唱するＦＤｉ等に代表されるデジタルカメラ・プリント・サービスの取扱店に持ち込むことにより、当該取扱店の店頭に設置されている店頭端末装置を介して、前記記憶メディアに記憶されている画像情報によって示される被写体像を写真プリントとして出力することもできる。
【０００５】
この種の店頭端末装置により写真プリントを作成するサービスに関する技術として、従来、利用者が携行する携帯端末から店頭端末に画像等の情報を送信して利用者がプリントサービス、デジタルコンテンツサービス等のサービスを享受する通信システムであって、利用者が所望のサービス内容を入力する入力手段と、前記サービス内容に基づいたサービス依頼情報を無線で店頭端末に送信する近距離無線送信手段とを備えた携帯端末と、携帯端末から受信したサービス依頼情報に基づいてプリントサービス、デジタルコンテンツサービス等のサービスを提供する手段を備えた店頭端末と、からなる通信システムが提案されている（例えば、特許文献１参照。）。
【特許文献１】特開２００２−１８５８９５公報
【発明の開示】
【発明が解決しようとする課題】
【０００６】
ところで、前述したような店頭端末装置によるプリント・サービスにおいて利用したいサービス内容は、利用者によって異なるものである。
【０００７】
例えば、デジタルカメラとしてハイエンド・モデルを使用するユーザは、高価格であっても高画質の写真プリントを好むことが多く、携帯電話機に内蔵されているデジタルカメラのユーザは、標準価格以下の写真プリントを好んだり、シールプリントを作成したいことが多い。
【０００８】
一方、前述したような店頭端末装置によるプリント・サービスにおいて作成される写真プリントの色味等の画質は、デジタルカメラの機種によって異なるものである。
【０００９】
すなわち、例えば、デジタルカメラによる撮影によって得られた画像の色味はデジタルカメラの機種によって微妙に異なる。このため、自然な色味の写真プリントを作成するためには、写真プリントを作成する際の色調整をカメラの機種毎に変更する必要がある。
【００１０】
しかしながら、従来の店頭端末装置では、不特定多数の利用者を想定しているため、例えば、当該店頭端末装置において表示されるメニュー画面では、想定され得る全ての選択項目が表示されてしまい、利用者にとっての利便性が必ずしもよいとは言えない、といったことや、例えば、写真プリントの色味を調整する場合には、個別に調整量を指定する必要があり、利用者にとっての利便性が必ずしもよいとは言えない、といった問題点があった。
【００１１】
なお、前述した特許文献１に記載されている技術では、利用者の嗜好性やデジタルカメラの機種差については考慮されていないため、上記問題点を解決することはできない。
【００１２】
本発明は上記問題点を解決するためになされたものであり、利用者にとっての利便性を向上することのできるプリントサービスシステム及びプリントサービス方法を提供することを目的とする。
【課題を解決するための手段】
【００１３】
上記目的を達成するために、請求項１記載のプリントサービスシステムは、デジタルカメラによる撮影によって得られた画像を店頭端末装置により印刷して写真プリントを作成するプリントサービスシステムであって、前記デジタルカメラに、当該デジタルカメラの機種を示す機種情報が予め記憶された記憶手段と、前記記憶手段に記憶された前記機種情報を無線で送信する送信手段と、を設け、前記店頭端末装置に、前記送信手段によって送信された前記機種情報を受信する受信手段と、前記受信手段によって受信した前記機種情報に応じて処理内容を切り替える切替手段と、を設けたことを特徴としている。
【００１４】
請求項１に記載のプリントサービスシステムによれば、デジタルカメラにより、当該デジタルカメラの機種を示す機種情報が記憶手段によって予め記憶され、当該機種情報が送信手段によって無線で送信される。
【００１５】
なお、本発明に係るデジタルカメラには、デジタルカメラそのものの他、デジタルカメラが内蔵されたＰＤＡ（Personal Digital Assistant、携帯情報端末）、携帯電話機等の他の情報処理装置も含まれる。また、上記記憶手段には、ＲＯＭ（Read Only Memory）、ＥＥＰＲＯＭ（Electrically Erasable and Programmable ROM）、フラッシュＥＥＰＲＯＭ（Flash EEPROM）等の記憶素子、スマート・メディア、ｘＤピクチャーカード（xD-Picture Card）、コンパクト・フラッシュ、ＡＴＡカード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。また、上記記憶手段と上記送信手段の双方を有するものとして、ＩＣタグを用いることもできる。
【００１６】
なお、ＩＣタグは、無線タグ、ＲＦＩＤ（Radio Frequency Identification）タグ、ＩＤタグ、電磁誘導タグ等と呼ばれることもあるが、本明細書では、これらを総称してＩＣタグという。
【００１７】
一方、本発明では、店頭端末装置により、前記送信手段によって送信された前記機種情報が受信手段によって受信され、受信された当該機種情報に応じて処理内容が切替手段によって切り替えられる。
【００１８】
すなわち、本発明では、デジタルカメラの機種によって利用者の嗜好性が或る程度判断できることに着目して、利用者によって所持されたデジタルカメラの機種を店頭端末装置にて自動的に取得できるようにすると共に、取得した機種に応じて処理内容を切り替えるようにしており、これによって利用者による処理内容の切り替え操作を省略することができ、利用者にとっての利便性を向上することができるようにしている。
【００１９】
このように、請求項１に記載のプリントサービスシステムによれば、デジタルカメラにより、当該デジタルカメラの機種を示す機種情報を予め記憶しておき、当該機種情報を店頭端末装置に無線で送信し、店頭端末装置により、前記デジタルカメラから送信された前記機種情報を受信し、受信した前記機種情報に応じて処理内容を切り替えているので、利用者による処理内容の切り替え操作を省略することができ、利用者にとっての利便性を向上することができる。
【００２０】
なお、本発明は、請求項２に記載の発明のように、前記処理内容を、メニュー画面の表示内容及び写真プリントを作成する際の印刷制御の内容、の少なくとも一方とすることが好ましい。前記処理内容としてメニュー画面の表示内容を適用した場合は、利用者によって指定される可能性が高いプリント条件をデフォルトのメニュー画面として表示することにより、利用者による指定変更のための操作の頻度を低くすることができ、この結果としてユーザにとっての利便性を向上することができ、前記処理内容として印刷制御の内容を適用した場合には、作成される写真プリントの色味等の画質をデジタルカメラの機種に応じて自動的に切り替えることができ、利用者による当該画質の調整のための操作を削減することができ、この結果としてユーザにとっての利便性を向上することができる。
【００２１】
一方、上記目的を達成するために、請求項３記載のプリントサービス方法は、デジタルカメラによる撮影によって得られた画像を店頭端末装置により印刷して写真プリントを作成するプリントサービスシステムにおけるプリントサービス方法であって、前記デジタルカメラにより、当該デジタルカメラの機種を示す機種情報を予め記憶しておき、当該機種情報を前記店頭端末装置に無線で送信し、前記店頭端末装置により、前記デジタルカメラから送信された前記機種情報を受信し、受信した前記機種情報に応じて処理内容を切り替える、ことを特徴とするものである。
【００２２】
従って、請求項３に記載のプリントサービス方法は、請求項１記載の発明と同様に作用するので、請求項１記載の発明と同様に、利用者にとっての利便性を向上することができる。
【００２３】
なお、本発明は、請求項４に記載の発明のように、前記処理内容を、メニュー画面の表示内容及び写真プリントを作成する際の印刷制御の内容、の少なくとも一方とすることが好ましい。これによって、前記処理内容としてメニュー画面の表示内容を適用した場合は、利用者によって指定される可能性が高いプリント条件をデフォルトのメニュー画面として表示することにより、利用者による指定変更のための操作の頻度を低くすることができ、この結果としてユーザにとっての利便性を向上することができ、前記処理内容として印刷制御の内容を適用した場合には、作成される写真プリントの色味等の画質をデジタルカメラの機種に応じて自動的に切り替えることができ、利用者による当該画質の調整のための操作を削減することができ、この結果としてユーザにとっての利便性を向上することができる。
【発明の効果】
【００２４】
本発明によれば、デジタルカメラにより、当該デジタルカメラの機種を示す機種情報を予め記憶しておき、当該機種情報を店頭端末装置に無線で送信し、店頭端末装置により、前記デジタルカメラから送信された前記機種情報を受信し、受信した前記機種情報に応じて処理内容を切り替えているので、利用者による処理内容の切り替え操作を省略することができ、利用者にとっての利便性を向上することができる、という効果が得られる。
【発明を実施するための最良の形態】
【００２５】
以下、図面を参照して、本発明の実施の形態について詳細に説明する。
【００２６】
まず、図１を参照して、本実施の形態に係るプリントサービスシステム１０の構成について説明する。
【００２７】
同図に示すように、プリントサービスシステム１０は、デジタルカメラ２０及び店頭端末装置５０を含んで構成されている。ここで、デジタルカメラ２０はプリントサービスシステム１０に対応したものであり、不特定多数のユーザにより所有されているものである。これに対し、店頭端末装置５０はコンビニエンス・ストアやＤＰＥ（Develop Print Enlargement）店等の多店舗展開を特徴とする店舗の店頭に設置されているものである。
【００２８】
また、デジタルカメラ２０は自身の機種を示す機種情報を無線で送信できるものとして構成されており、店頭端末装置５０は、デジタルカメラ２０から送信された機種情報を受信できるものとして構成されている。
【００２９】
なお、店頭端末装置５０は、デジタルカメラ２０による撮影によって得られた画像を印刷して写真プリントを作成する機能を有するものであるが、当該画像を示す画像データは、デジタルカメラ２０に対して着脱可能に構成されたメモリカード３４（本実施の形態では、ｘＤピクチャーカード）を介して店頭端末装置５０に入力される。従って、店頭端末装置５０には、メモリカード３４を挿脱可能に構成されたメモリカード・スロット７２と、作成した写真プリントを外部に排出するための写真プリント・トレイ７４とが備えられている。
【００３０】
また、店頭端末装置５０には、各種メニュー画面や各種情報を表示するための液晶ディスプレイによって構成された表示部５６が設けられている。なお、本実施の形態に係る表示部５６の表示面上には透過型のタッチパネル５８が装着されており、ユーザは、表示部５６に表示されている各種メニュー項目から所望のものを指定する際には、当該表示部５６上にて指先で接触指定することができる。また、店頭端末装置５０には、各種情報を入力するためのテンキーを含んで構成された操作部６０と、店頭端末装置５０への人の接近を検出するための人検出センサを含んで構成された人検出部６６と、が設けられている。
【００３１】
次に、図２を参照して、本実施の形態に係るデジタルカメラ２０の電気系の主要構成について説明する。
【００３２】
同図に示すように、本実施の形態に係るデジタルカメラ２０は、被写体像を結像させるためのレンズ２１（図１も参照。）を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、入力されたアナログ信号をデジタルデータに変換するアナログ／デジタル変換器（以下、「ＡＤＣ」という。）２８と、データ制御部３０と、を備えている。
【００３３】
ＣＣＤ２４の出力端はアナログ信号処理部２６の入力端に、アナログ信号処理部２６の出力端はＡＤＣ２８の入力端に、ＡＤＣ２８の出力端はデータ制御部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデータ制御部３０に入力される。
【００３４】
ここで、データ制御部３０は、ＡＤＣ２８から入力されたデジタル画像データや後述するメモリ３２、メモリカード３４等に記憶されたデジタル画像データを、動作状態に応じて予め定められた部位に選択的に出力するための制御を行う。
【００３５】
また、デジタルカメラ２０には、ＡＤＣ２８によって得られたデジタル画像データ等を一時的に記憶するメモリ３２と、可搬型のメモリカード３４をデジタルカメラ２０でアクセス可能とするための外部メモリインタフェース３６と、デジタル画像データに対するホワイトバランス調整、ガンマ処理、シャープネス処理、圧縮処理、伸張処理等の各種デジタル信号処理を行う画像信号処理部３８と、が備えられている。
【００３６】
更に、デジタルカメラ２０には、デジタルカメラ２０全体の動作を司るＣＰＵ（中央処理装置）４０が備えられており、前述した光学ユニット２２、ＣＣＤ２４、アナログ信号処理部２６、ＡＤＣ２８、データ制御部３０、画像信号処理部３８等の各部の動作はＣＰＵ４０によって制御される。
【００３７】
また、デジタルカメラ２０には、当該デジタルカメラ２０の機種を示す機種情報が予め記憶されたＩＣタグ４２が備えられている。
【００３８】
デジタルカメラ２０は、不図示のレリーズボタンがユーザによって押圧操作されたタイミングで、ＡＤＣ２８から出力されたデジタル画像データが画像信号処理部３８にて各種デジタル信号処理が施された状態でメモリカード３４に記憶されるものとして構成されている。
【００３９】
次に、図３を参照して、本実施の形態に係るＩＣタグ４２の電気系の主要構成について説明する。
【００４０】
同図に示すように、本実施の形態に係るＩＣタグ４２は、ＩＣタグ４２全体を制御するＣＰＵ（中央処理装置）４２Ａと、各種情報の書き込み及び読み出しが可能に構成された不揮発性のメモリ４２Ｂと、アンテナ４２Ｅを介して外部装置との間の各種情報の送受信を行う送受信部４２Ｃと、外部装置から電磁誘導によって供給された電力を蓄電するコンデンサ４２Ｄと、を備えている。
【００４１】
ここで、ＣＰＵ４２Ａは、送受信部４２Ｃ及びメモリ４２Ｂに接続されている。従って、ＣＰＵ４２Ａは、外部装置から送信された情報をアンテナ４２Ｅ及び送受信部４２Ｃを介し取得してメモリ４２Ｂに記憶させたり、メモリ４２Ｂに記憶されている情報に対して各種処理を施したり、メモリ４２Ｂに記憶されている情報を送受信部４２Ｃ及びアンテナ４２Ｅを介して外部装置に送信すること等ができる。
【００４２】
一方、送受信部４２Ｃ及びＣＰＵ４２Ａにはコンデンサ４２Ｄが接続されており、送受信部４２Ｃ及びＣＰＵ４２Ａへの駆動用の給電はコンデンサ４２Ｄによって行われる。なお、メモリ４２Ｂへの給電は、コンデンサ４２ＤよりＣＰＵ４２Ａを介して行われる。
【００４３】
ここで、本実施の形態に係るデジタルカメラ２０では、当該デジタルカメラ２０の製造工程においてＩＣタグ４２のメモリ４２Ｂに機種情報を記憶するものとしているが、これに限定されるものではなく、デジタルカメラ２０の出荷時や出荷後等に梱包箱の外から電磁誘導で記憶させる形態とすることもできる。
【００４４】
次に、図４を参照して、本実施の形態に係る店頭端末装置５０の電気系の主要構成について説明する。
【００４５】
同図に示すように、本実施の形態に係る店頭端末装置５０は、当該店頭端末装置５０全体の動作を司る制御部５２が備えられており、前述した表示部５６、タッチパネル５８、操作部６０、及び人検出部６６は制御部５２に電気的に接続されている。
【００４６】
従って、制御部５２は、表示部５６への各種メニュー画面や情報の表示、タッチパネル５８に対するユーザによる指定情報の把握、操作部６０に対するユーザによる操作状態の把握、及び人検出部６６による人の検出状態の把握を、各々行うことができる。
【００４７】
また、店頭端末装置５０には、写真プリントを作成するプリント部５４と、各種情報を記憶するためのメモリ６２と、デジタルカメラ２０に設けられたＩＣタグ４２との間で各種情報の授受を行う通信部６４と、メモリカード・スロット７２に接続されると共に当該メモリカード・スロット７２に装着されたメモリカード３４を店頭端末装置５０でアクセス可能とするための外部メモリインタフェース６８と、プリントサービスシステム１０を統括する統括センタに設置されているホストコンピュータ８０とネットワーク接続するためのネットワークインタフェース７０と、が備えられており、これら各部は制御部５２に電気的に接続されている。
【００４８】
従って、制御部５２は、プリント部５４による写真プリントの作成の制御、メモリ６２、ＩＣタグ４２、メモリカード３４へのアクセス、及びホストコンピュータ８０との間の各種情報の授受を行うことができる。
【００４９】
なお、本実施の形態に係る店頭端末装置５０のメモリ６２には、プリント部５４に対して設定することにより、デジタルカメラの機種に応じた最適な画質（色味）とすることのできるパラメータがプリントサービスシステム１０でサービス対象としているデジタルカメラ２０の機種毎に記憶されている。
【００５０】
次に、本実施の形態に係るプリントサービスシステム１０の作用として、店頭端末装置５０の動作について図５を参照しつつ詳細に説明する。なお、図５は、店頭端末装置５０の制御部５２において実行されるプリントサービス処理プログラムの処理の流れを示すフローチャートであり、当該プログラムはメモリ６２の所定領域に予め記憶されている。また、ここでは、錯綜を回避するために、ユーザにより、写真プリントを作成したいデジタル画像データの記録されたメモリカード３４がメモリカード・スロット７２に予め装着され、当該デジタル画像データが指定されている場合について説明する。
【００５１】
同図のステップ１００では、人検出部６６による人の接近の検出待ちを行い、次のステップ１０２では、接近した人が所持しているデジタルカメラに対してＩＣタグ４２へのアクセスを試み、次のステップ１０４にて、ＩＣタグ４２が検知されたか否かを判定し、肯定判定となった場合は、接近したユーザがプリントサービスシステム１０に対応したデジタルカメラ２０を所持しているものと見なしてステップ１０６に移行する。
【００５２】
ステップ１０６では、ＩＣタグ４２から機種情報を読み出し、次のステップ１０８では、読み出した機種情報によって示されるデジタルカメラ２０の機種に応じて、ユーザにより依頼される可能性が高い写真プリントのプリント種類を特定する。なお、本実施の形態では、読み出した機種情報によって示される機種が一般的に高級機とされる所定価格（本実施の形態では、１０万円）以上のモデルである場合は比較的大きなサイズである４Ｌサイズのプリントを上記プリント種類として特定し、当該機種が上記所定価格以下のモデルである場合は通常サイズであるＬサイズのプリントを上記プリント種類として特定し、当該機種が携帯電話機である場合はシールプリントを上記プリント種類として特定する。
【００５３】
次のステップ１１０では、読み出した機種情報によって示されるデジタルカメラ２０の機種に応じて、ユーザにより依頼される可能性が高い写真プリントの品質を特定する。なお、本実施の形態では、読み出した機種情報によって示される機種が一般的に高級機とされる上記所定価格以上のモデルである場合は最も高品質である‘超高画質’を上記品質として特定し、当該機種が上記所定価格以下のモデルである場合は通常の画質である‘通常画質’を上記品質として特定し、当該機種が携帯電話機である場合は‘通常画質’よりやや劣る画質である‘一般画質’を上記品質として特定する。
【００５４】
次のステップ１１２では、上記ステップ１０８及びステップ１１０において特定したプリント種類及び写真プリントの品質に基づいて、読み出した機種情報によって示されるデジタルカメラ２０の機種に応じたメニュー画面を表示部５６によって表示する。
【００５５】
図６（Ａ）には、ユーザの所持したデジタルカメラ２０の機種が上記所定価格以上のモデルである場合におけるメニュー画面の表示状態の一例が、図６（Ｂ）には、ユーザの所持したデジタルカメラ２０の機種が携帯電話機である場合におけるメニュー画面の表示状態の一例が、各々示されている。このように、ここで表示されるメニュー画面は、ユーザによって指定される可能性が高いプリント条件をデフォルトとして表示するようにしているので、ユーザによる指定変更のための操作の頻度を低くすることができ、この結果として、ユーザにとっての利便性を向上することができる。
【００５６】
図６に示されるようなメニュー画面が表示部５６によって表示されると、ユーザは、必要に応じて当該メニュー画面に対し所望のプリント条件を示すものとなるように操作を行った後に、指定の終了を示す指示入力（図６に示すメニュー画面の場合は「はい」ボタンの指定入力）を行う。
【００５７】
そこで、ステップ１１４では、当該指定の終了を示す指示入力の入力待ちを行い、次のステップ１１６では、上記ステップ１０６において読み出した機種情報によって示されるデジタルカメラ２０の機種に応じたプリント制御を特定する。なお、本実施の形態に係る店頭端末装置５０では、本ステップ１１６において、上記機種に応じたプリント制御を、当該機種に対応する色味調整用のパラメータをメモリ６２から読み出すことによって特定するようにしている。
【００５８】
次のステップ１１８では、上記ステップ１１６の処理によって特定されたプリント制御（本実施の形態では、色味調整用のパラメータ）をプリント部５４に設定し、その後にステップ１２４に移行する。
【００５９】
一方、上記ステップ１０４において否定判定となった場合は、接近したユーザがプリントサービスシステム１０に対応したデジタルカメラ２０を所持していないものと見なしてステップ１２０に移行し、予め定められたデフォルトのメニュー画面を表示部５６によって表示する。なお、ここで表示されるメニュー画面は、不特定多数の利用者を想定したものであるため、想定され得る全ての選択項目が表示されてしまい、ユーザにとっての利便性が必ずしもよいとは言えない。
【００６０】
当該デフォルトのメニュー画面が表示部５６によって表示されると、ユーザは、必要に応じて当該メニュー画面に対し所望のプリント条件を示すものとなるように操作を行った後に、指定の終了を示す指示入力を行う。
【００６１】
そこで、ステップ１２２では、当該指定の終了を示す指示入力の入力待ちを行い、その後にステップ１２４に移行する。
【００６２】
ステップ１２４では、ユーザによってメニュー画面上で指定されたプリント条件に応じた設定をプリント部５４に対して行い、次のステップ１２６にて、プリント部５４に対して写真プリントの作成の実行を指示する指示情報を出力することにより写真プリントを作成させ、その後に本プリントサービス処理プログラムを終了する。
【００６３】
以上のプリントサービス処理プログラムにより、プリント部５４では、上記ステップ１１８の処理によって設定されたプリント制御（プリントサービスシステム１０でサービス対象としているデジタルカメラ２０の場合。）、かつステップ１２４の処理によって設定された条件で、ユーザによって予め指定されたデジタル画像データによる写真プリントを作成する。
【００６４】
なお、店頭端末装置５０では、デジタルカメラ２０の機種に応じた最適な画質（色味）とすることのできるパラメータを、ネットワークインタフェース７０を介してホストコンピュータ８０からダウンロードすることにより、当該情報を適宜バージョン・アップするようにしている。これによって、デジタルカメラ２０における内蔵ファームウェアの変更等に対応することができる。
【００６５】
以上詳細に説明したように、本実施の形態によれば、デジタルカメラにより、当該デジタルカメラの機種を示す機種情報を予め記憶しておき、当該機種情報を店頭端末装置に無線で送信し、店頭端末装置により、前記デジタルカメラから送信された前記機種情報を受信し、受信した前記機種情報に応じて処理内容を切り替えているので、利用者による処理内容の切り替え操作を省略することができ、利用者にとっての利便性を向上することができる。
【００６６】
特に、本実施の形態によれば、前記処理内容として、メニュー画面の表示内容及び写真プリントを作成する際の印刷制御の内容を適用し、利用者によって指定される可能性が高いプリント条件をデフォルトのメニュー画面として表示すると共に、作成される写真プリントの画質（色味）をデジタルカメラの機種に応じて自動的に切り替えているので、利用者によるメニュー画面における指定変更のための操作の頻度を低くすることができると共に、利用者による写真プリントの画質調整のための操作を削減することができ、この結果としてユーザにとっての利便性を向上することができる。
【００６７】
なお、本実施の形態で説明したプリントサービス処理プログラムの処理の流れ（図５参照。）は一例であり、本発明の主旨を逸脱しない範囲内において適宜変更可能であることは言うまでもない。
【００６８】
例えば、当該プリントサービス処理プログラムでは、デジタルカメラ２０の機種に応じたメニュー画面をデジタルカメラ２０の価格帯に応じて作成して表示する場合について説明したが、本発明はこれに限定されるものではなく、例えば、店頭端末装置５０のメモリ６２に対して、デジタルカメラ２０の機種に応じたメニュー画面を示す情報をプリントサービスシステム１０でサービス対象としているデジタルカメラ２０の機種毎に予め記憶しておき、メニュー画面の表示の際に対応するメニュー画面を示す情報を読み出して表示する形態とすることもできる。この場合も、本実施の形態と同様の効果を奏することができる。
【００６９】
また、当該プリントサービス処理プログラムでは、デジタルカメラ２０の機種に応じたメニュー画面の切り替え及びプリント画質の切り替えの双方を実行する場合について説明したが、本発明はこれに限定されるものではなく、これらのうちの何れか一方のみを実行する形態とすることもできる。この場合も、本実施の形態と同様の効果を或る程度は奏することができる。
【００７０】
また、本実施の形態で説明したプリントサービスシステム１０の構成（図１〜図４参照。）も一例であり、本発明の主旨を逸脱しない範囲内において適宜変更可能であることは言うまでもない。
【００７１】
例えば、本実施の形態では、本発明の記憶手段及び送信手段としてＩＣタグを適用した場合について説明したが、本発明はこれに限定されるものではなく、例えば、本発明の記憶手段としてＥＥＰＲＯＭ、フラッシュ・メモリ等の半導体記憶素子やｘＤピクチャーカード、スマートメディア等の可搬型記録媒体を、本発明の送信手段として、電波、赤外線、光等に対して本発明の機種情報を重畳させて送信することのできる送信装置を、各々適用する形態とすることもできる。この場合も、本実施の形態と同様の効果を奏することができる。
【００７２】
更に、本実施の形態で示したメニュー画面の表示状態（図６参照。）も一例であり、本発明の主旨を逸脱しない範囲内において適宜変更可能であることは言うまでもない。
【図面の簡単な説明】
【００７３】
【図１】実施の形態に係るプリントサービスシステム１０の構成を示す概略図である。
【図２】実施の形態に係るデジタルカメラ２０の電気系の主要構成を示すブロック図である。
【図３】実施の形態に係るＩＣタグ４２の電気系の主要構成を示すブロック図である。
【図４】実施の形態に係る店頭端末装置５０の電気系の主要構成を示すブロック図である。
【図５】実施の形態に係るプリントサービス処理プログラムの処理の流れを示すフローチャートである。
【図６】実施の形態に係るメニュー画面の表示状態例を示す概略図である。
【符号の説明】
【００７４】
１０    プリントサービスシステム
２０    デジタルカメラ
４２    ＩＣタグ
４２Ｂ    メモリ（記憶手段）
４２Ｃ    送受信部（送信手段）
５０    店頭端末装置
５２    制御部（切替手段）
６４    通信部（受信手段）
【図１】
2005275736.tif 000003
【図２】
2005275736.tif 000004
【図３】
2005275736.tif 000005
【図４】
2005275736.tif 000006
【図５】
2005275736.tif 000007
【図６】
2005275736.tif 000008